(57)【要約】【課題】取付対象（２）のモジュール収納部（２１）の開口部を閉塞した状態で、モジュール収納部（２１）内の開口部から奥へ一方向に挿入される内容物（３）が前記開口部から外側へ飛び出すことを防止する開閉蓋装置において、内容物（３）に加わる飛び出し方向の荷重Ｆがヒンジ部材（２８）の軸支部分に加わらないようにして、ヒンジ部材（２８）の軸支部分における設計上の制約を軽減する。【解決手段】蓋部材（２７）においてヒンジ部材（２８）の軸支側と反対側に、突部（７４）を設ける。ヒンジ部材（２８）の軸支側の位置に、突部（７３）を設ける。反軸支側の突部（７４）および軸支側の突部（７３）が、それぞれに対応する荷重受け部（８４，８３）との当接により内容物（３）に加わる前記飛び出し方向の荷重Ｆをヒンジ部材（２８）の押さえ部（２８ｅ）の両側で受けるように構成されている。【選択図】図１１
2017070895.tif 000002
【特許請求の範囲】
【請求項１】
取付対象の収容室の開口部に開放または閉塞可能に取り付けられるもので、かつ閉塞した状態で、前記収容室内の開口部から奥へ一方向に挿入される内容物が前記開口部から外側へ飛び出すことを防止する開閉蓋装置であって、
前記開口部に回動自在に軸支され、かつ前記回動により前記収容室内の前記内容物に押さえ部を当接、離反するヒンジ部材と、
前記ヒンジ部材にスライド可能に連結され、かつ前記ヒンジ部材と共に一体的に回動されて前記押さえ部が前記内容物に当接した状態で前記開口部の閉塞位置にスライドされる蓋部材と、を備え、
前記蓋部材において前記ヒンジ部材の軸支側とは前記押さえ部を挟んで反対側の位置には、前記閉塞位置へのスライドにより前記取付対象に設けられる荷重受け部に宛がわれる突部が設けられ、
前記蓋部材および前記ヒンジ部材の少なくともいずれか一方において前記軸支側の位置には、前記押さえ部が前記内容物に当接した状態で前記取付対象に設けられる荷重受け部に宛がわれる突部が設けられ、
前記軸支側の突部および前記反軸支側の突部は、それぞれに対応する前記荷重受け部との当接により前記内容物に加わる前記飛び出し方向の荷重を受ける構成とされている、ことを特徴とする開閉蓋装置。
【請求項２】
請求項１に記載の開閉蓋装置において、
前記蓋部材は、前記閉塞位置へのスライドにより前記取付対象に設けられる係合部に挿入される、弾性変形可能な舌片からなる係止部を備え、
その係止部の先端側には、前記係合部に係止された状態で離脱方向への引っ掛かりとなる爪部が設けられている、ことを特徴とする開閉蓋装置。
【発明の詳細な説明】
【技術分野】
【０００１】
本発明は、取付対象の収容室の開口部に開放または閉塞可能に取り付けられるもので、かつ閉塞した状態で、前記収容室内の開口部から奥へ一方向に挿入される内容物が前記開口部から外側へ飛び出すことを防止する開閉蓋装置に関する。
【背景技術】
【０００２】
従来のこの種の開閉蓋装置として、本体ケースに回動自在に軸支したヒンジ部材と、当該非分離にスライド可能に連結した蓋部材とにより構成するものが、例えば特許文献１，２に示されている。
【０００３】
上記特許文献１，２は、いずれもカメラの電池収納に関するものであって、前記本体ケースの収容室内に電池を挿入した後、前記ヒンジ部材と共に前記蓋部材を回動させて、当該ヒンジ部材の押さえ部が電池に当接した状態で前記蓋部材を前記収容室の開口部の閉塞位置にスライドさせることにより、前記蓋部材において前記ヒンジ部材の軸支側とは反対側にある係合突片を前記本体ケースの係合部に係合する構成である。
【先行技術文献】
【特許文献】
【０００４】
【特許文献１】特開２００５−２０８１４３号公報
【特許文献２】特開２００３−１４２８４１号公報
【発明の概要】
【発明が解決しようとする課題】
【０００５】
上記特許文献１，２では、内容物が電池のような軽量物であれば特に問題を生じることはない。しかしながら、前記内容物が比較的重量の大きいものであって、かつ当該内容物に使用中において定常的に飛び出し方向の力が加わるような場合には、以下のような課題がある。
【０００６】
仮に、前記本体ケースに外的な衝撃が加わることによって前記本体ケースに挿入している内容物に対して飛び出し方向に大きな荷重が作用することがあるが、そのような場合には、前記荷重を前記ヒンジ部材および前記蓋部材で受け止めて、前記内容物が飛び出すことを防止する必要がある。
【０００７】
ここで、上記特許文献１，２では、前記飛び出し方向の力を前記ヒンジ部材の軸支部および前記蓋部材の係合突片で受ける構造になっている関係より、特に、前記ヒンジ部材の軸支部側では、軸受やその取り付けおよび前記ヒンジ部材の軸部に強度が要求されるなど、設計上多くの制約を受けることになる。
【０００８】
このような事情に鑑み、本発明は、取付対象の収容室の開口部を閉塞した状態で、前記収容室内の開口部から奥へ一方向に挿入される内容物が前記開口部から外側へ飛び出すことを防止する開閉蓋装置において、前記内容物に加わる飛び出し方向の荷重がヒンジ部材の軸支部分に加わらないようにして、前記ヒンジ部材の軸支部分における設計上の制約を軽減することを目的としている。
【課題を解決するための手段】
【０００９】
本発明は、取付対象の収容室の開口部に開放または閉塞可能に取り付けられるもので、かつ閉塞した状態で、前記収容室内の開口部から奥へ一方向に挿入される内容物が前記開口部から外側へ飛び出すことを防止する開閉蓋装置であって、前記開口部に回動自在に軸支され、かつ前記回動により前記収容室内の前記内容物に押さえ部を当接、離反するヒンジ部材と、前記ヒンジ部材にスライド可能に連結され、かつ前記ヒンジ部材と共に一体的に回動されて前記押さえ部が前記内容物に当接した状態で前記開口部の閉塞位置にスライドされる蓋部材と、を備え、前記蓋部材において前記ヒンジ部材の軸支側とは前記押さえ部を挟んで反対側の位置には、前記閉塞位置へのスライドにより前記取付対象に設けられる荷重受け部に宛がわれる突部が設けられ、前記蓋部材および前記ヒンジ部材の少なくともいずれか一方において前記軸支側の位置には、前記押さえ部が前記内容物に当接した状態で前記取付対象に設けられる荷重受け部に宛がわれる突部が設けられ、前記軸支側の突部および前記反軸支側の突部は、それぞれに対応する前記荷重受け部との当接により前記内容物に加わる前記飛び出し方向の荷重を受ける構成とされている、ことを特徴としている。
【００１０】
この構成の記載において、前記軸支側の突部の設置形態については、前記ヒンジ部材の軸支側と前記蓋部材において前記ヒンジ部材の軸支側との両方に設ける形態、あるいは前記蓋部材において前記ヒンジ部材の軸支側のみに設ける形態、あるいは前記ヒンジ部材の軸支側のみに設ける形態にすることができる。
【００１１】
そして、この構成によれば、前記取付対象に内容物を挿入して、前記ヒンジ部材および前記蓋部材を閉塞した状態において当該内容物に飛び出し方向の荷重が作用したときに、前記軸支側の突部および前記反軸支側の突部とそれらに対応する荷重受け部とにより前記荷重を受けるようになる。
【００１２】
これにより、前記ヒンジ部材および前記蓋部材による耐荷重能力が高くなるので、前記荷重が作用しても前記内容物が前記収容室から簡単に飛び出すことが阻止されるようになる。
【００１３】
しかも、前記していることから判るように、本発明では、前記ヒンジ部材の軸支部分における強度を従来例のように高める必要が無くなるので、前記軸支部分を設計するうえでの制約を軽減できるようになる。
【００１４】
ところで、前記蓋部材は、前記閉塞位置へのスライドにより前記取付対象に設けられる係合部に挿入される、弾性変形可能な舌片からなる係止部を備え、その係止部の先端側には、前記係合部に係止された状態で離脱方向への引っ掛かりとなる爪部が設けられている、構成とすることができる。
【００１５】
この構成では、前記蓋部材を閉塞位置に保持される形態が明らかになる。
【発明の効果】
【００１６】
本発明は、取付対象の収容室の開口部を閉塞した状態で、前記収容室内の開口部から奥へ一方向に挿入される内容物が前記開口部から外側へ飛び出すことを防止する開閉蓋装置において、前記内容物に加わる飛び出し方向の荷重がヒンジ部材の軸支部に加わらないようにして、前記ヒンジ部材の軸支部における設計上の制約を軽減することができる。
【図面の簡単な説明】
【００１７】
【図１】図２においてメンテカバーおよびモジュールサポートを開いた状態を示す斜視図である。
【図２】本発明に係る水処理装置の一実施形態で、全体外観を示す斜視図である。
【図３】図２の水処理装置を正面から見た図である。
【図４】図３の（４）−（４）線断面を矢印方向から見た図である。
【図５】図１において装置本体からメンテカバーおよびモジュールサポートと水路カバーとを外した状態を示す斜視図である。
【図６】図１において装置本体からメンテカバーおよびモジュールサポートと電解モジュールとを取り外した状態を示す斜視図である。
【図７】図６の電解モジュールの単体を斜め下から見上げた状態を示す斜視図である。
【図８】図５のメンテカバーとモジュールサポートとを分離した状態を示す斜視図である。
【図９】図８を背後から見た図である。
【図１０】図３の（１０）−（１０）線断面を矢印方向から見た図である。
【図１１】図３の（１１）−（１１）線断面を矢印方向から見た図である。
【図１２】図１０の（１２）−（１２）線断面を矢印方向から見た図である。
【図１３】図１０を矢印（１３）方向から見た図である。
【図１４】図１０に対応する図であって、メンテカバーおよびモジュールサポートを開放状態から閉塞するときの第１段階を示している。
【発明を実施するための形態】
【００１８】
以下、本発明を実施するための最良の実施形態について添付図面を参照して詳細に説明する。
【００１９】
図１から図１４に、本発明に係る開閉蓋装置を備える水処理装置１の一実施形態を示している。
【００２０】
水処理装置１は、この実施形態においてオゾン水を生成する構成であり、装置本体２、電解モジュール３などを備えている。図中、５は、運転表示ランプ等の表示部を示す。
【００２１】
装置本体２は、骨格部２０、モジュール収納部２１、給水管路２２、吐水管路２３、給電部２４、水路カバー２５、後カバー２６、メンテカバー２７、モジュールサポート２８などを備えている。
【００２２】
骨格部２０は、隔壁２９ａ、天井壁２９ｂ、底壁２９ｃならびに後壁２９ｄを備えている。
【００２３】
モジュール収納部２１は、電解モジュール３が取り外し可能に取り付けられる空間であって、骨格部２０の隔壁２９ａ、天井壁２９ｂ、底壁２９ｃならびに後壁２９ｄと、メンテカバー２７とでもって囲まれた空間とされている。
【００２４】
この空間からなるモジュール収納部２１の上下方向途中を横方向に断面にした形状は矩形状になっているが、その周方向に並ぶ４つの面のうちの隣り合う２つの面が骨格部２０の隔壁２９ａと後壁２９ｄとによって閉塞されるようになっていて、残りの２つの面は外側へ開放されている。このように開放している２つの面は、Ｌ字形状のメンテカバー２７のカバー本体２７ａと延長壁部２７ｂとで閉塞されるようになっている。
【００２５】
隔壁２９ａは、モジュール収納部２１と給水管路２２および吐水管路２３の配置空間とを区画するために設けられている。
【００２６】
給水管路２２には電解モジュール３の給水口３１が連結され、また、吐水管路２３には電解モジュール３の吐水口３２が連結される。給電部２４は、電解モジュール３の接続端子３３が接続される。
【００２７】
水路カバー２５および後カバー２６は、骨格部２０に取り外し可能に取り付けられている。メンテカバー２７は、モジュールサポート２８を介して骨格部２０に開閉可能に取り付けられており、モジュール収納部２１を覆うように閉塞される。
【００２８】
モジュールサポート２８は、骨格部２０に開閉可能に取り付けられるものであって、メンテカバー２７と共にモジュール収納部２１を閉塞したときにモジュール収納部２１に挿入される電解モジュール３に当接して電解モジュール３の取り外し方向の動きを規制して保持する。メンテカバー２７およびモジュールサポート２８は、例えば合成樹脂で形成される。
【００２９】
電解モジュール３は、外形が円柱状で長さ寸法が直径寸法よりも大きく設定されており、その内部には水電解部（図示省略）が内蔵されている。この水電解部は、電解モジュール３の内部から取り外せるようになっている。
【００３０】
この電解モジュール３の外周面においてその長さ方向上下には、給水口３１および吐水口３２が離間して設けられている。また、電解モジュール３の上端面には、前記不図示の水電解部の電極に電気的に接続されている２つの接続端子３３が設けられている。
【００３１】
なお、装置本体２は特許請求の範囲に記載の「取付対象」に相当し、モジュール収納部２１は特許請求の範囲に記載の「収容室」に相当し、電解モジュール３は特許請求の範囲に記載の「内容物」に相当し、メンテカバー２７は特許請求の範囲に記載の「蓋部材」に相当し、モジュールサポート２８は特許請求の範囲に記載の「ヒンジ部材」に相当している。
【００３２】
このような水処理装置１の場合、前記水電解部に原料水を通しながら、当該水電解部の電極に電圧を印加して前記原料水の電気分解を行うことによりオゾン水を生成するようになっているが、長期間の使用により原料水に含まれるカルシウムイオンやマグネシウムイオン等の無機質が析出し、前記電極付近に堆積する。また、長期間の使用により前記電極が摩耗したり前記水電解部のイオン交換膜が劣化したりすることがある。このようなことから、電解モジュール３の前記水電解部のリフレッシュまたは交換を定期的に行うことが好ましい。
【００３３】
電解モジュール３は、装置本体２のモジュール収納部２１に一方向から比較的容易に取り付けたり取り外したりできるように構成されているので、以下で説明する。
【００３４】
詳しくは、装置本体２に備える給水管路２２、吐水管路２３ならびに給電部２４は、モジュール収納部２１に臨むよう設けられている。
【００３５】
図５および図６に示すように、給水管路２２および吐水管路２３は、横向き姿勢となるように配置されており、給水管路２２の連結口２２ａおよび吐水管路２３の連結口２３ａが隔壁２９ａを貫通してモジュール収納部２１内に突出されることによってモジュール収納部２１に臨むように開放されている。
【００３６】
また、給水管路２２の給水ジョイント２２ｂは、装置本体２においてモジュール収納部２１の反対側の側面から外側へ突出するように設けられている。吐水管路２３の吐水ジョイント２３ｂは装置本体２の天井壁２９ｂから外側へ突出するように設けられている。
【００３７】
さらに、給電部２４は、天井壁２９ｂに設けられていて、図４に示すように、２つの溝２４ａが天井壁２９ｂの下面に開放するとともに天井壁２９ｂの側面へ向けて開放するように設けられている。この２つの溝２４ａは、一直線に延びるように設けられており、電解モジュール３の下記接続端子３３が隙間を持つ状態で一方向から一直線に入れられる。
【００３８】
前記２つの溝２４ａには、２つ１組の給電端子２４ｂ，２４ｃが配置されている。一方の給電端子２４ｂは、帯板形状に形成されていて固定とされるので、以下においては固定側給電端子と言うこともある。また、他方の給電端子２４ｃは、湾曲形状に形成されていて可撓または可動とされるので、以下においては可動側給電端子と言うこともある。
【００３９】
前記２つの溝２４ａ内にそれぞれ接続端子３３を挿入すると、可動側給電端子２４ｃが接続端子３３によって弾性変形させられることに伴い、その反力（弾性復元力）により可動側給電端子２４ｃと固定側給電端子２４ｂとが接続端子３３を強く挟むことによって圧接するようになるので、両方の給電端子２４ｂ，２４ｃと接続端子３３とが電気的に接続されるようになる。このことから、可動側給電端子２４ｃと固定側給電端子２４ｂとの対向隙間のうち、最小の隙間は、接続端子３３の厚みよりも小さく設定されている。
【００４０】
そして、図７に示すように、電解モジュール３に備える給水口３１および吐水口３２は、共に同じ方向に向けて開口するように設けられている。
【００４１】
また、電解モジュール３に備える２つの接続端子３３は、共に帯板状片とされており、電解モジュール３の上端面に平行に離間した状態で上向きに突出するように設けられている。
【００４２】
さらに、図６および図７に示すように、電解モジュール３の下端面と装置本体２の底壁２９ｃとには、電解モジュール３の押し込み動作を誘導するためのガイド部２９ｅと被ガイド部３４とが振り分けて設けられている。
【００４３】
具体的に、ガイド部２９ｅは、図６に示すように、装置本体２の底壁２９ｃ上面に設けられており、２本の平行な突条レールとされている。また、被ガイド部３４は、図７に示すように、電解モジュール３の下端面に設けられており、ガイド部２９ｅとしての２本の突条レールに個別に嵌め合わされる２つの溝状レールとされている。
【００４４】
ガイド部２９ｅとしての２本の突条レールの長さ方向は、給電部２４の２つの溝２４ａの長さ方向と平行になっている。また、被ガイド部３４としての２つの溝状レールの長さ方向は、接続端子３３としての２つの帯板状片の幅方向と平行になっている。
【００４５】
装置本体２の給水管路２２の連結口２２ａおよび吐水管路２３の連結口２３ａに対する電解モジュール３の給水口３１および吐水口３２の連結は、図３に示すように、それぞれシール材（Ｏリングなど）４を介して密封されるとともに外れにくくなっている。
【００４６】
詳しくは、給水管路２２の連結口２２ａおよび吐水口３２の内径は、吐水管路２３の連結口２３ａおよび給水口３１の外径よりも大きくなっていて、給水管路２２の連結口２２ａが給水口３１の外径側に嵌合されるようになっている一方、吐水管路２３の連結口２３ａが吐水口３２の内径側に嵌合されるようになっている。
【００４７】
このような形態から、給水管路２２の連結口２２ａおよび吐水口３２をメス形状、また、吐水管路２３の連結口２３ａおよび給水口３１をオス形状と言うことにする。これにより、電解モジュール３を上下逆さまにモジュール収納部２１に取り付けることが回避される。
【００４８】
なお、吐水管路２３の連結口２３ａの外径側および給水口３１の外径側の各付け根側には、それぞれ前記シール材４が取り付けられており、給水管路２２の連結口２２ａに給水口３１を嵌合して吐水管路２３の連結口２３ａに吐水口３２を嵌合すると、この嵌合面がシール材４によってタイトフィットするようになるので、前記嵌合が簡単に外れないようになるとともに前記嵌合面が密封されるようになる。
【００４９】
ここで、電解モジュール３を装置本体２のモジュール収納部２１に取り付ける場合には、図１に示すように、装置本体２のメンテカバー２７およびモジュールサポート２８を開くことによりモジュール収納部２１を外側に開放しておいて、このモジュール収納部２１の開放部分から電解モジュール３を一方向に一直線に押し込む。
【００５０】
これにより、装置本体２側の被ガイド部３４である突条レールと電解モジュール３側のガイド部２９ｅである溝状レールとの嵌め合いでもって電解モジュール３の押し込み動作が安定して誘導されるようになって、電解モジュール３の２つの接続端子３３である帯板状片が装置本体２の給電部２４の２つの溝２４ａ内に入れられる。
【００５１】
このとき、２つの接続端子３３が給電部２４の２つの溝２４ａ内において２つ１組の給電端子２４ｂ，２４ｃのうちの湾曲している方の給電端子２４ｃを弾性変形させることになって、その反力（弾性復元力）でもって前記２つ１組の給電端子２４ｂ，２４ｃ間に前記接続端子３３が強く挟まれて圧接する状態、つまり完全押し込み状態になる。その一方で、給水管路２２の連結口２２ａに給水口３１が、また、吐水管路２３の連結口２３ａに吐水口３２がそれぞれシール材４を乗り越えて完全に嵌合される状態になる。
【００５２】
そして、電解モジュール３を装置本体２から取り外す場合には、前記したように取り付ける場合と反対の動作、つまり電解モジュール３をモジュール収納部２１から一直線に引っ張ることにより取り外せばよい。このように電解モジュール３を取り外せば、その内部の不図示の水電解部を新しいものと交換することが可能になり、また、その交換作業が簡単に行えるようになる。
【００５３】
ところで、装置本体２に電解モジュール３を取り付けた状態において水処理装置１を運転すると、電解モジュール３に原料水が勢いよく導入される関係より、電解モジュール３に飛び出し方向の荷重Ｆ（原料水の導入圧力、図１０参照）が作用する。
【００５４】
この荷重Ｆが作用したときに、メンテカバー２７およびモジュールサポート２８を閉塞した状態を強固に保持して、電解モジュール３がモジュール収納部２１から簡単に飛び出すことを阻止するように工夫しているので、以下で説明する。
【００５５】
モジュールサポート２８は、骨格部２０の後壁２９ｄにおいてモジュール収納部２１の開口部に回動自在に軸支されている。このモジュールサポート２８は、図８および図９に示すように、正面から見て縦長長方形に形成されており、その一長辺の上下には、筒状軸受部２８ａ，２８ｂが設けられている。
【００５６】
この筒状軸受部２８ａ，２８ｂは、円筒形とされており、この筒状軸受部２８ａ，２８ｂには、骨格部２０の後壁２９ｄにねじ（符号省略）により取り付けられている軸部２８ｃ，２８ｄが回動自在に挿入される。この筒状軸受部２８ａ，２８ｂおよび軸部２８ｃ，２８ｄがモジュールサポート２８の軸支部（ヒンジ機構）を構成している。
【００５７】
また、モジュールサポート２８の内面には、モジュール収納部２１内の電解モジュール３に閉塞時に当接して開放時に離反する押さえ部２８ｅが設けられている。この押さえ部２８ｅは、モジュールサポート２８の内面を隆起させるような形態で厚肉とすることにより形成されている。
【００５８】
メンテカバー２７は、平面視でＬ字形状に形成されており、長方形のカバー本体２７ａと、カバー本体２７ａと直交する方向に延長して設けられる長方形の延長壁部２７ｂと、ほぼ正方形の天井壁部２７ｃとを有している。
【００５９】
このメンテカバー２７を閉塞した状態では、カバー本体２７ａが装置本体２を正面から見たときに右側面になり、延長壁部２７ｂが装置本体２の正面になり、天井壁部２７ｃが装置本体２の天井面になる。
【００６０】
このメンテカバー２７は、モジュールサポート２８にスライド可能に連結されていて、モジュールサポート２８と共に一体的に回動されるようになっている。このメンテカバー２７は、モジュールサポート２８の押さえ部２８ｅが電解モジュール３に当接した状態でモジュール収納部２１の開口部の閉塞位置にスライドされるようになる。
【００６１】
このメンテカバー２７のスライド動作は、メンテカバー２７のカバー本体２７ａの内面における上下方向複数箇所（図では２箇所）に設けられるガイドレール５１，５２と、モジュールサポート２８の外面における上下方向複数箇所（図では２箇所）に設けられるガイド溝６１，６２とにより安定かつ円滑に行われるようになっている。
【００６２】
ガイドレール５１，５２は互いに平行に離隔配置されており、また、ガイド溝６１，６２も互いに平行に離隔配置されている。
【００６３】
アッパガイドレール５１およびロアガイドレール５２は、共に突条レールとされている。アッパガイドレール５１の突出端には下向きのフランジ５１ａが設けられており、また、ロアガイドレール５２の突出端には上向きのフランジ５２ａが設けられている。
【００６４】
アッパガイド溝６１およびロアガイド溝６２は、共に溝状レールとされている。アッパガイド溝６１の開口の下側には上向きのフランジ６１ａが設けられており、また、ロアガイド溝６２の開口の上側には下向きのフランジ６２ａが設けられている。
【００６５】
そして、図１２および図１３に示すように、アッパガイドレール５１およびロアガイドレール５２をそれぞれに対応するアッパガイド溝６１およびロアガイド溝６２に横方向から差し入れると、各フランジ５１ａ，５２ａ，６１ａ，６２ａが互いに引っ掛かることによってアッパガイドレール５１およびロアガイドレール５２がアッパガイド溝６１およびロアガイド溝６２の各開口から抜け出ることなく、アッパガイド溝６１およびロアガイド溝６２の長手方向に沿って円滑にスライドされるようになる。
【００６６】
そして、メンテカバー２７においてモジュールサポート２８の軸支側とは押さえ部２８ｅを挟んで反対側の上下方向複数箇所（図では３箇所）には、係止部（以下、反軸支側の係止部と言う）７１が設けられている。
【００６７】
この反軸支側の係止部７１は、メンテカバー２７の閉塞位置へのスライドにより水路カバー２５の上下方向複数箇所（図では３箇所）に設けられる反軸支側の係合部８１に個別に係止されるようになっている。
【００６８】
詳しくは、反軸支側の係止部７１は、図８に示すように、弾性変形可能な舌片とされており、この係止部７１の先端側には、係合部８１に係止された状態で離脱方向への引っ掛かりとなる爪部７１ａが設けられている。また、反軸支側の係合部８１は、図１および図１０に示すように、窪みとされている。
【００６９】
係止部７１としての舌片は、メンテカバー２７の延長壁部２７ｂにおいてモジュールサポート２８の軸支部分と反対側に位置する長辺に、延長壁部２７ｂと直交（つまりカバー本体２７ａと平行）に突出するように設けられている。
【００７０】
そして、係止部７１を係合部８１内に挿入すると、係止部７１が弾性変形しながら係合部８１内に入り込むようになって、図１０に示すように、係止部７１の先端の爪部７１ａが係合部８１の開口縁に引っ掛けられるとともに、係止部７１としての舌片が係合部８１の開口縁の外側面に当接するようになる。
【００７１】
メンテカバー２７においてモジュールサポート２８の軸支側の上下方向複数箇所（図では３箇所）には、係止部（以下、軸支側の係止部と言う）７２が設けられている。
【００７２】
この軸支側の係止部７２は、メンテカバー２７の閉塞位置へのスライドにより骨格部２０の後壁２９ｄの上下方向複数箇所（図では３箇所）に設けられる軸支側の係合部８２に個別に係止されるようになっている。
【００７３】
詳しくは、軸支側の係止部７２は、図８および図９に示すように、弾性変形可能な舌片とされている。この係止部７２の先端側には、係合部８２に係止された状態で離脱方向への引っ掛かりとなる爪部７２ａが設けられている。また、軸支側の係合部８２は、図５および図１０に示すように、窪みとされている。
【００７４】
係止部７２としての舌片は、メンテカバー２７のカバー本体２７ａにおいてモジュールサポート２８の軸支部分寄りに位置する長辺に、カバー本体２７ａと平行に突出するように設けられている。
【００７５】
そして、係止部７２を係合部８２内に挿入すると、係止部７２が弾性変形しながら係合部８２内に入り込むようになって、図１０に示すように、係止部７２の先端の爪部７２ａが係合部８２の開口縁に引っ掛けられるとともに、係止部７２としての舌片が係合部８２としての窪みの底面に当接するようになる。
【００７６】
尚、軸支側の上側の２つの係止部７２は、残りの係止部７２および反軸支側の係止部７１よりも爪部の引っ掛かりを深く設定し、メンテカバー２７の閉塞位置において爪部７２ａの先端が、図２に示すように、係合部８２の孔８２ａから外表面に臨む状態にある。
【００７７】
従って、メンテカバー２７は、ドライバー等により外表面に臨む爪部７２ａを内側に押込んで係合部８２との係合を解除した状態で閉塞位置から離脱方向に強制的にスライドさせれば、爪部の引っ掛かりが浅い係止部７１および係止部７２が撓みその係合を解除し、開放することができる。
【００７８】
ところで、係止部７１および係止部７２は、その突出方向が荷重Ｆと直交し、荷重Ｆと正対するようになっているが、専ら弾性変形を可能とするために肉厚が薄くなっていることから、荷重Ｆに対する耐久性が小さく、延いてはモジュールサポート２８の軸支部に荷重Ｆが加わる懸念がある。
【００７９】
このような懸念を解消するための構成を以下に説明する。
【００８０】
モジュールサポート２８の軸支側の上下方向複数箇所（図では２箇所）には、適度の剛性を有する突部（以下、軸支側の突部と言う）７３が設けられている。この軸支側の突部７３は、モジュールサポート２８の回動により押さえ部２８ｅを電解モジュール３に押し付けた際に骨格部２０の後壁２９ｄの上下方向複数箇所（図では２箇所）に設けられる軸支側の荷重受け部８３に入り込み、荷重受け部８３内の荷重Ｆと正対する面にあてがわれるようになっている。
【００８１】
詳しくは、軸支側の荷重受け部８３は、図５および図１１に示すように、窪みとされており、その荷重Ｆと正対する内面に突部７３が宛がわれて当接する。
【００８２】
突部７３は、図８および図９に示すように、モジュールサポート２８の上下一対の筒状軸受部２８ａ，２８ｂにモジュールサポート２８と平行に突出するように設けられている。これにより、突部７３は、突出方向が荷重Ｆと直交していて、荷重Ｆと正対するようになっている。
【００８３】
他方、メンテカバー２７においてモジュールサポート２８の軸支側とは押さえ部２８ｅを挟んで反対側の上下方向複数箇所（図では２箇所）には、適度の剛性を有する突部（以下、反軸支側の突部と言う）７４が設けられている。反軸支側の突部７４は、メンテカバー２７の延長壁部２７ｂ内面に一体に突設状態にあり、メンテカバー２７が閉塞位置にスライドされたとき、骨格部２０の上下方向複数箇所（図では２箇所）に設けられている荷重受け部（以下、反軸支側の荷重受け部と言う）８４に対向する位置に移動してそれぞれ荷重受け部８４に宛がわれる。
【００８４】
詳しくは、上側の荷重受け部８４は、天井壁２９の前面に設けた突条であり、この突条の荷重Ｆと正対する面に上側の突部７４が宛がわれて当接するようになっている。また、下側の荷重受け部８４は、底壁２９ｃの下方前面部に設けた窪みからなり、その窪みの荷重Ｆと正対する内面に下側の突部７４が宛がわれて当接するようになっている。
【００８５】
次に、メンテカバー２７およびモジュールサポート２８を閉塞するときの様子を説明する。
【００８６】
まず、図１４の二点鎖線で示すように開放位置にあるメンテカバー２７およびモジュールサポート２８を、図１４の矢印１００方向に回転させることにより、図１４の実線で示すようにモジュール収納部２１の開口を閉塞する状態にする。
【００８７】
このとき、図１１に示すように、モジュールサポート２８の軸支側の突部７３が軸支側の荷重受け部８３に入り込むようになって、突部７３が荷重受け部８３としての窪みにおいて荷重Ｆと正対する内面に当接するようになる。
【００８８】
その後、メンテカバー２７を図１４の矢印２００方向に骨格部２０の後壁２９ｄへ向けてスライドさせることにより、図１０に示すように、メンテカバー２７の反軸支側の係止部７１が反軸支側の係合部８１に、また、軸支側の係止部７２が軸支側の係合部８２にそれぞれ入り込むようになって、係止部７１の爪部７１ａが係合部８１の開口縁に引っ掛けられるとともに係止部７２の爪部７２ａが係合部８２の開口縁に引っ掛けられることになる。同時に、反軸支側の上下の突部７４は、骨格部２０の上下の荷重受け部８４に宛がわれるようになっている。
【００８９】
そして、上述したようにメンテカバー２７が閉塞された状態において、水処理装置１を運転すると、電解モジュール３に飛び出し方向の荷重Ｆが作用することになるが、図１０および図１１に示すように、押さえ部２８ｅの両側すなわち軸支側と反軸支側にある突部７３，７４と、それぞれ対応する荷重受け部８３，８４とが当接状態になっているので、それらが前記荷重Ｆを正対して受けるようになる。
【００９０】
そのため、前記荷重Ｆがモジュールサポート２８およびメンテカバー２７を介して骨格部２０に伝達されるようになる。つまり、前記荷重Ｆはモジュールサポート２８およびメンテカバー２７だけでなく、モジュールサポート２８およびメンテカバー２７と骨格部２０とを結合した構造体の全体で受けるようになっているのである。これにより、モジュールサポート２８の軸支部において直接荷重Ｆを受けることがなく、荷重Ｆに対する強度を考慮する必要がなくなるので、設計上の制約を軽減でき、簡易な軸支部構造が採用可能となる。
【００９１】
そのため、モジュールサポート２８およびメンテカバー２７の耐荷重能力が高くなると言えるので、前記荷重Ｆが作用しても電解モジュール３がモジュール収納部２１から簡単に飛び出すことが阻止されるようになる。
【００９２】
以上説明したように本発明を適用した実施形態では、水処理装置１の運転に伴い電解モジュール３に作用する原料水の導入圧力（荷重Ｆ）を、メンテカバー２７およびモジュールサポート２８を介して骨格部２０に伝達させるようにすることによって、モジュールサポート２８およびメンテカバー２７の耐荷重能力を高めるようにしているので、前記荷重Ｆが作用しても電解モジュール３がモジュール収納部２１から簡単に飛び出すことが阻止されるようになる。
【００９３】
しかも、前記していることから判るように、この実施形態では、装置本体２に対するメンテカバー２７のモジュールサポート２８の軸支部分における強度を従来例のように高める必要が無くなるので、前記軸支部分を設計するうえでの制約を軽減できるようになる。
【００９４】
なお、本発明は、上記実施形態のみに限定されるものではなく、特許請求の範囲内および当該範囲と均等の範囲内で適宜に変更することが可能である。
【００９５】
（１）上記実施形態では、本発明の適用対象として水処理装置１を例に挙げているが、本発明はこれのみに限定されるものではない。
【００９６】
本発明の適用対象としては、例えば図示していないが、着脱可能なバッテリを備える電気作動装置とすることが可能である。その場合、前記バッテリが特許請求の範囲に記載の内容物に相当し、制御電気作動装置の装置本体が特許請求の範囲に記載の取付対象に相当するものとなる。
【００９７】
（２）上記実施形態では、軸支側の突部７３をモジュールサポート２８に、反軸支側の突部７４をメンテカバー２７に設けているが、軸支側の突部７３は、モジュールサポート２８側に限らず、メンテカバー２７側、もしくは、双方に設けてもよい。要するに、押さえ部２８ｅの両側である軸支側と反軸支側において荷重Ｆを受ける突部と荷重受け部を設けたものであればよい。
【００９８】
（３）上記実施形態では、メンテカバー２７をＬ字形状にした例を挙げているが、本発明はこれのみに限定されるものではない。
【００９９】
前記メンテカバー２７は、例えば図示していないが、延長壁部２７ｂを無くした構成にしたり、あるいは延長壁部２７ｂおよび天井壁部２７ｃを無くした構成にしたりすることが可能である。
【０１００】
その場合、水路カバー２５を後壁２９ｄと同じ位置まで延長させるような構成にする必要があるとともに、メンテカバー２７のカバー本体２７ａにおいてモジュールサポート２８の反軸支側の長辺に、上記舌片からなる係止部７１を軸支側に向けて直交してカバー本体２７ａと平行になるように突出形成する構成にする必要がある。なお、この場合の係止部７１としての舌片は、カバー本体２７ａの内側へ向けて一旦突出されてから９０度屈曲されることによってカバー本体２７ａと平行になるように突出される。
【０１０１】
このように構成すれば、メンテカバー２７およびモジュールサポート２８を閉塞する際には、上記実施形態と同様、回転動作とスライド動作とを行うことができる。この場合も、上記実施形態と同様の作用、効果が得られる。
【０１０２】
（４）上記実施形態では、反軸支側の係止部７１および軸支側の係止部７２を舌片のようなオス形状にして、反軸支側の係合部８１および軸支側の係合部８２を窪みのようなメス形状にした例を挙げているが、本発明はこれのみに限定されるものではない。
【０１０３】
例えば図示していないが、前記と反対の関係、つまり反軸支側の係止部７１および軸支側の係止部７２を窪みのようなメス形状にして、反軸支側の係合部８１および軸支側の係合部８２を舌片のようなオス形状にすることが可能である。
【０１０４】
（５）上記実施形態では、メンテカバー２７にガイドレール５１，５２を設けてモジュールサポート２８にガイド溝６１，６２を設けた例を挙げているが、本発明はこれのみに限定されるものではない。
【０１０５】
例えば図示していないが、前記と反対の関係、つまりメンテカバー２７にガイド溝６１，６２を設けてモジュールサポート２８にガイドレール５１，５２を設けるようにすることが可能である。
【産業上の利用可能性】
【０１０６】
本発明は、取付対象の収容室の開口部に開放または閉塞可能に取り付けられるもので、かつ閉塞した状態で、前記収容室内の開口部から奥へ一方向に挿入される内容物が前記開口部から外側へ飛び出すことを防止する開閉蓋装置に好適に利用することが可能である。
【符号の説明】
【０１０７】
１  水処理装置
２  装置本体（取付対象に相当）
２０    骨格部
２１    モジュール収納部
２５    水路カバー
２６    後カバー
２７    メンテカバー（蓋部材に相当）
２８    モジュールサポート（ヒンジ部材に相当）
２８ａ  上側筒状軸受部
２８ｂ  下側筒状軸受部
２８ｃ  上側軸部
２８ｄ  下側軸部
２８ｅ  押さえ部
２９ｄ  後壁
３  電解モジュール（内容物に相当）
５１  アッパガイドレール
５１ａ  フランジ
５２  ロアガイドレール
５２ａ  フランジ
６１  アッパガイド溝
６１ａ  フランジ
６２  ロアガイド溝
６２ａ  フランジ
７１  反軸支側の係止部
７１ａ  爪部
７２  軸支側の係止部
７２ａ  爪部
７３  軸支側の突部
７４  反軸支側の突部
８１  反軸支側の係合部
８２  軸支側の係合部
８３  軸支側の荷重受け部
８４  反軸支側の荷重受け部
【図１】
2017070895.tif 000003
【図２】
2017070895.tif 000004
【図３】
2017070895.tif 000005
【図４】
2017070895.tif 000006
【図５】
2017070895.tif 000007
【図６】
2017070895.tif 000008
【図７】
2017070895.tif 000009
【図８】
2017070895.tif 000010
【図９】
2017070895.tif 000011
【図１０】
2017070895.tif 000012
【図１１】
2017070895.tif 000013
【図１２】
2017070895.tif 000014
【図１３】
2017070895.tif 000015
【図１４】
2017070895.tif 000016